(57)【要約】【課題】  排紙トレイに長期間放置されたＲＦＩＤタグ付き用紙に対し、第三者に対する使用を制限し、意図しない文書の流通を防ぐ。【解決手段】  排紙トレイに長期間放置されたＲＦＩＤタグ付き用紙に対し、複写不許可の情報をＲＦＩＤタグに書き込む。【選択図】  図１
2006133966.tif 000002
【特許請求の範囲】
【請求項１】
文字、図形、画像等を含む文書データを記憶している文書サーバと、データの読み書きが可能で、そのデータを電波によって送受信するＲＦＩＤタグを付属してなるＲＦＩＤタグ付き用紙と、
前記ＲＦＩＤタグ付き用紙に形成されている文書を読み込む文書読み込み手段と、
前記ＲＦＩＤタグ付き用紙のＲＦＩＤタグ内に記録された前記文書サーバと該文書サーバ内での文書データの記憶位置とを特定する情報を含む文書情報を読み込む文書情報読み込み手段と、
前記文書情報読み込み手段によって読み込んだ前記文書情報に基づいて前記文書サーバから該当する文書データを読み込む文書データ読み込み手段と、
前記文書読み込み手段によって読み込んだ文書データまたは前記文書データ読み込み手段によって文書データに基づいて前記ＲＦＩＤタグ付き用紙に記録されている文書を新たなＲＦＩＤタグ付き用紙に形成する文書複写手段と、
を含むことを特徴とするプリントシステム。
【請求項２】
前記文書情報読み込み手段から読み込まれた文書情報を新たなＲＦＩＤタグ付き用紙のＲＦＩＤタグに形成する文書情報書き込み手段を有することを特徴とする請求項１記載のプリントシステム。
【請求項３】
文書情報には複写の許可、不許可の情報が含まれていることを特徴とする請求項１または請求項２記載のプリントシステム。
【請求項４】
文書情報には文書サーバを用いる複写の許可、不許可の情報および文書サーバを用いない複写の許可、不許可の情報が含まれていることを特徴とする請求項１または請求項２記載のプリントシステム。
【請求項５】
前記文書複写手段により出力されたＲＦＩＤタグ付き用紙が、ある一定時間以上放置されていた場合、前記ＲＦＩＤタグ付き用紙のＲＦＩＤタグ内の文書情報に複写を不許可にする情報を形成する出力文書管理手段を有することを特徴とする請求項３または請求項４記載のプリントシステム。
【発明の詳細な説明】
【技術分野】
【０００１】
本発明は、ＲＦＩＤタグ付きをネットワークで接続するプリンタシステムに関する。
【背景技術】
【０００２】
ＲＦＩＤタグ付き用紙、およびＲＦＩＤタグに読み書き可能なリーダライタを具備したプリンタで構成されるプリンタシステムにおいては、ＲＦＩＤタグ内に複写の許可フラグを持たせることにより、そして機密文書に対しては複写許可フラグを不許可にすることにより、複写を出来なくしセキュリティレベルを保つことが可能となっている。
【０００３】
又、別の従来例としては、セキュリティポリシーに基づいたドキュメントの読み取りとネットワーク配信を達成するために、ＲＦＩＤ等を用いてドキュメントの識別情報を読み取る識別情報読取手段と、上記識別情報によって指定される動作要件を選択する動作要件選択手段と、上記動作要件選択手段によって選択された１つ以上の動作要件に従って所定動作の実行を制御する動作制御手段とを有する画像形成装置（例えば特許文献１参照）をあげることが出来る。
【特許文献１】特開２００４−１５２２６０号公報
【発明の開示】
【発明が解決しようとする課題】
【０００４】
但し機密文書以外の通常の文書は利便性なども考え、複写許可フラグは許可にされていることが多い。
【０００５】
しかしながら排紙トレイに出力したＲＦＩＤタグ付き用紙をプリント命令を発行した者が長時間回収に行かず放置されていた場合、ＲＦＩＤタグ付き用紙がプリント命令を発行した者以外の者に回収され、意図しない複写をされる恐れがある。
【課題を解決するための手段】
【０００６】
本発明は前記の課題を解決する一手段として、以下の構成を備えるものである。
【０００７】
文字、図形、画像等を含む文書データを記憶している文書サーバと、データの読み書きが可能で、そのデータを電波によって送受信するＲＦＩＤタグを付属してなるＲＦＩＤタグ付き用紙と、前記ＲＦＩＤタグ付き用紙に形成されている文書を読み込む文書読み込み手段と、前記ＲＦＩＤタグ付き用紙のＲＦＩＤタグ内に記録された前記文書サーバと該文書サーバ内での文書データの記憶位置とを特定する情報を含む文書情報を読み込む文書情報読み込み手段と、前記文書情報読み込み手段によって読み込んだ前記文書情報に基づいて前記文書サーバから該当する文書データを読み込む文書データ読み込み手段と、前記文書読み込み手段によって読み込んだ文書データまたは前記文書データ読み込み手段によって文書データに基づいて前記ＲＦＩＤタグ付き用紙に記録されている文書を新たなＲＦＩＤタグ付き用紙に形成する文書複写手段と、前記文書情報読み込み手段から読み込まれた文書情報を新たなＲＦＩＤタグ付き用紙のＲＦＩＤタグに形成する文書情報書き込み手段と、前記文書複写手段により出力されたＲＦＩＤタグ付き用紙が、ある一定時間以上放置されていた場合、前記ＲＦＩＤタグ付き用紙のＲＦＩＤタグ内の文書情報に複写を不許可にする情報を形成する出力文書管理手段と
を含むことを特徴とするプリントシステム。
【発明の効果】
【０００８】
本発明によれば、ある一定の時間を超えて排紙トレイに置かれたＲＦＩＤタグ付き用紙に対し、ＲＦＩＤタグ内の複写許可フラグを不許可にすることにより、排紙トレイに置かれたＲＦＩＤタグ付き用紙を複写出来ないようにし、もし他人に持ち去られた場合でも該ＲＦＩＤタグ付き用紙が複写出来ないことにより意図しない文書の流通を防ぎ従来よりセキュリティレベルを向上することが出来る。
【発明を実施するための最良の形態】
【０００９】
本発明によるプリンタシステムを添付図とともに示す実施例に基づき以下に説明する。ここではデジタル複写機を用いたプリンタシステムを例としてあげるが、もちろんインクジェットプリンタやイメージスキャナなどで構成されたプリンタシステムであってもよい。
【００１０】
図１は、本発明のＲＦＩＤタグ付き用紙、及びＲＦＩＤタグに読み書き可能なリーダ・ライタを具備したデジタル複写機、及び文書データを記憶する文書サーバにより構成されるプリンタシステムを概略的に示したブロック図である。
【００１１】
１００，１０１はプリント出力された紙で、紙の中にＲＦＩＤタグ１０２が埋め込まれている。１０３，１０４，１０５はデジタル複写機で、各デジタル複写機はＲＦＩＤタグと後述する無線通信によりデータの送受信を行うためのリーダライタ１０６を備えている。１０７はローカルエリアネットワーク（ＬＡＮ）等のネットワークで、デジタル複写機１０３，１０４が接続されている。デジタル複写機１０５はＬＡＮ１０７に接続されておらずスタンドアロンでの使用に限定される。１０８は文書サーバであり、前記ＬＡＮ１０７に接続されている。１０９はＰＣである。
【００１２】
図２はデジタル複写機の構成を示す側断面図である。デジタル複写機２００は、原稿画像を読み取るイメージリーダ部２０１と、イメージリーダ部２０１で読み取った画像データを再現するプリンタ部２０２とに大きく分けられる。イメージリーダ部２０１は、６００ｄｐｉ（ｄｏｔｓ／ｉｎｃｈ）の解像度で原稿を読み取り、デジタル信号処理を行う部分である。プリンタ部２０２は、イメージリーダ部２０１によって読み取られた原稿画像に対応した画像を１２００ｄｐｉの解像度で指定用紙にフルカラープリント出力する部分である。イメージリーダ部２０１において、原稿台ガラス（以下、プラテン）２０３上の原稿２０４は、ランプ２０５で照射され、ミラー２０６，２０７，２０８に導かれ、レンズ２０９によって、集光された光を電気信号に変換する３ラインセンサ（以下、ＣＣＤ）２１０上に像を結び、フルカラー情報レツド（Ｒ）、グリーン（Ｇ），ブルー（Ｂ）成分として信号処理部２１１に送られる。なお、２０５，２０６を固定しているキヤリツジは速度ｖで、２０７，２０８は速度１／２ｖでラインセンサの電気的走査（主走査）方向に対して垂直方向に機械的に動くことによって、原稿全面を走査（副走査）する。信号処理部２１１においては、読み取られた画像信号を電気的に処理し、マゼンタ（Ｍ），シアン（Ｃ），イエロー（Ｙ），ブラツク（Ｂｋ）の各成分に分解し、プリンタ部２０２に送る。また、イメージリーダ部２０１における一回の原稿走査につき、Ｍ、Ｃ、Ｙ、Ｂｋのうちひとつの成分がプリンタ部２０２に送られ、計４回の原稿走査によって、一回のプリントアウトが完成する。イメージリーダ部２０１より送られてくるＭ、Ｃ、Ｙ、Ｂｋの各画像信号は、レーザドライバ２１２に送られる。レーザドライバ２１２は、送られてきた画像信号に応じ、半導体レーザ２１３を変調駆動する。レーザ光は、ポリゴンミラー２１４，ｆ−θレンズ２１５，ミラー２１６を介し、感光ドラム２１７上を走査する。２１８は回転現像器であり、マゼンタ現像部２１９、シアン現像部２２０、イエロー現像部２２１、ブラツク現像部２２２より構成され、４つの現像部が交互に感光ドラム２１７に接し、感光ドラム上に形成された潜像現像をトナーで現像する。２２３は転写ドラムであり、用紙カセツト２２４または２２５より供給される用紙をこの転写ドラム２２３に巻き付け、感光ドラム上に現像された像を用紙に転写する。この様にして、Ｍ、Ｃ、Ｙ、Ｂｋの４色が順次転写された後に、用紙は定着ユニツト２２６を通過して、トナーが用紙に定着された後に排紙トレイ２２７に排紙される。
【００１３】
図３は前記デジタル複写機２００における、紙などの記録媒体に印字を行うプリンタ部の電気信号を処理する部分の構成を詳細に示したものである。３０１はＣＰＵで、プリンタの各部の制御を行うためのものである。３０２はＲＡＭであり前記ＣＰＵが演算した結果や、プリンタが扱う画像データなどを一時的に記憶しておくためのものである。３０３はＲＯＭであり、前記ＣＰＵが動作するためのプログラムや、画像データを生成するためのフォントデータなどが格納されている。３０４は、前記ＣＰＵ、ＲＡＭ、ＲＯＭが接続されているローカルバスである。３０５はＩ／Ｏバスであり、機能拡張用の内部Ｂｕｓである。３０６は前記ローカルバスとＩ／Ｏバスを接続するためのブリッジ回路である。３０７はプリンタ部で、紙などの記録媒体に画像を形成するための部分である。電子写真方式やインクジェット方式など様々な形式のプリンタ部が存在する。３０８はプリンタインターフェース部であり、前記プリンタ部とＩ／Ｏバスを接続するためのものであり、ＣＰＵの指示に従って３０２のＲＡＭに格納されている画像データを３０７のプリンタ部へ転送することが可能である。３０９はハードディスクドライブであり、画像データのスプールを行ったり、３０１のＣＰＵが様々の処理を行うためのプログラムなどを格納させておくためのものである。３１１はネットワークインターフェースコントローラであり、図１の１４に示したローカルエリアネットワークへ接続するために使用される。３１２は、イメージプロセッシングユニット（以下ＩＰＵ）であり、解像度変換などの画像処理を行うためのものである。３１３はラスタイメージプロセッサであり、３０１のＣＰＵの指示により、３１１のネットワークインターフェース回路を経由して外部から転送されたページ記述言語の画像データをビットマップ画像へ展開し、３０２のＲＡＭへ展開したビットマップデータを格納するために使用される。３１４はビデオＲＡＭで、ＣＰＵにより外部のＣＲＴやＬＣＤパネルに表示した表示データが書き込まれるものである。３１５はビデオインターフェースであり、ＶＲＡＭに格納されている表示データを外部のＣＲＴやＬＣＤパネルに表示するためのインターフェースをするためのものである。３１６は拡張Ｉ／Ｏインターフェースであり、たとえば携帯機器などと３０１のＣＰＵが通信などを行うためのインターフェース回路である。
【００１４】
通信形態はシリアル通信や、バイセントロインターフェース、またはＢｌｕｅｔｏｏｔｈなどの無線通信などの形式がある。１０６はＲＦＩＤリーダライタ部であり、後述するＲＦＩＤに対して無線通信によりデータを読み書きするためのものである。
【００１５】
図４は前記デジタル複写機２００における、スキャナ部の電気信号を処理する部分の構成を詳細に示したものである。４０１はＣＰＵで、スキャナの各部の制御を行うためのものである。４０２はＲＡＭであり前記ＣＰＵが演算した結果や、スキャナが読み込んだ画像データなどを一時的に記憶しておくためのものである。４０３はＲＯＭであり、前記ＣＰＵが動作するためのプログラムなどが格納されている。４０４は、前記ＣＰＵ、ＲＡＭ、ＲＯＭが接続されているローカルバスである。４０５はＩ／Ｏバスであり、機能拡張用の内部Ｂｕｓである。４０６は前記ローカルバスとＩ／Ｏバスを接続するためのブリッジ回路である。４０７はスキャナ部で、不図示の原稿台に置かれた原稿から読み取った光学的な信号を、ＣＣＤなどを用いて電子データに変換し、その電子データを転送するための部分である。４０８はスキャナインターフェース部であり、前記スキャナ部とＩ／Ｏバスを接続するためのものであり、ＣＰＵの指示に従って、前記スキャナから転送される原稿を読み取った電子データを、４０２のＲＡＭに転送することが可能である。４１０はネットワークインターフェースコントローラであり、図１の１４に示したローカルエリアネットワークへ接続するために使用される。４０９は、イメージプロセッシングユニット（以下ＩＰＵ）であり、解像度変換などの画像処理を行うためのものである。４１１は拡張Ｉ／Ｏインターフェースであり、たとえば携帯機器などと４０１のＣＰＵが通信などを行うためのインターフェース回路である。通信形態はシリアル通信や、バイセントロインターフェース、またはＢｌｕｅｔｏｏｔｈなどの無線通信などの形式がある。１０６はＲＦＩＤリーダライタ部であり、後述するＲＦＩＤに対して無線通信によりデータを読み書きするためのものである。
【００１６】
図５においてスキャナ部２０１及びプリンタ部２０２に具備されたＲＦＩＤタグの読み取り、または書き込みを行うためのリーダライタ部１０６の詳細な説明を行う。リーダライタ部１０６は、ＲＦＩＤタグ部６００に対して電波を送信するための送信アンテナ部５０１と、送信アンテナから送信する電波の変調を行うための変調回路５０２と、ＲＦＩＤタグ部６００から送られてくる電波を受信するための受信アンテナ部５０３、受信アンテナ部５０３より受信した信号を復調するための復調回路５０４、また送信アンテナ部５０１と変調回路５０２、受信アンテナ部５０３、復調回路５０４を制御するための制御部５０５と、上位機器との通信を行うＩ／Ｆ部５０６と、送信アンテナ部５０１に接続され、ＲＦＩＤタグ部６００への電力供給を行う電源５０７から構成される。
【００１７】
前記制御部５０５は、外部からの指示により変調回路５０２を用いて電力を供給するための電波および、送信するデータを変調して、送信アンテナ部５０１より外部へ電波を送信する。また、外部より受信した電波信号を、受信アンテナ部５０３で受信して、復調回路５０４によって復調したのち、データ信号として扱えるように変換することが可能である。
【００１８】
次に図６において、ＲＦＩＤタグ部６００の詳細な説明を行う。ＲＦＩＤタグ部６００は、不揮発性メモリ６０１、電波６０２を送受信するためのアンテナ部と、共振コンデンサ部６０３、電源の整流・平滑を行うための電力形成部６０４と、電波の変調、復調を行うための復変調部６０５、制御部６０６とから構成される。
【００１９】
アンテナ部６０２は、共振コンデンサ６０３と組み合わされ、共振回路を構成できるようになっている。外部から電力を供給するための電波信号が送られることにより、これを共振回路で受けとって、電力形成部６０４へ供給し、電力形成部６０４はＲＦＩＤタグ部６００を動作させるための電力を供給することが可能となる。前記電力は、不揮発性メモリ６０１や、復変調回路６０５へ供給される。制御部６０６は、ＲＦＩＤタグ部６００の制御を行うためのものである。
【００２０】
外部から、電力を供給するための電波とあわせて、ＲＦＩＤタグ部から読み出す、または書き着込むためのデータも同時に送受信され、ＲＦＩＤタグ部６００へ送られてきた信号は、復変調回路６０５によって、復調され制御部６０６を介して、不揮発性メモリ６０１へ記憶される。また、制御部６０６によって、不揮発性メモリ６０１から読み出されたデータは、復変調回路６０５によって変調され、アンテナ部６０２から電波信号として送信可能である。
【００２１】
図７はプリンタ部２０２より排紙トレイ２０７に出力されたＲＦＩＤタグ付き用紙１０１に対する制御を示すフロー図である。まずＳ７０１でユーザからの指示により、プリンタ部２０２よりＲＦＩＤタグ付き用紙１０１が出力される。Ｓ７０２では出力されたＲＦＩＤタグ付き用紙１０１が複写許可されているかどうか判断する。Ｓ７０２にて複写が許可されていないと判断された場合にはＳ７０５に進む。Ｓ７０２で複写が許可されていると判断されている場合は、Ｓ７０３で排紙トレイ２２７に出力されたＲＦＩＤタグ付き用紙１０１が残っているかどうか判断する。これはプリンタ部２０２に具備されたＲＦＩＤリーダライタ１０６が前出のＲＦＩＤタグ付き用紙１０１のＲＦＩＤタグと通信可能かどうかによって判断する。Ｓ７０３にて排紙トレイ２２７にＲＦＩＤタグ付き用紙１０１が残っていると判断された場合にはＳ７０４に進む。Ｓ７０４ではＲＦＩＤタグ付き用紙１０１がプリンタ部２０２より出力されてから定められた時間を経過したかどうかを判断する。この定められた時間はユーザが設定するものであり、５分や１０分などの時間であるが、０であってももちろんかまわない。
【００２２】
Ｓ７０４で定められた時間を経過していないと判断された場合にはＳ７０３に進み、Ｓ７０４で定められた時間を経過したと判断された場合にはＳ７０５に進む。Ｓ７０５においてはＲＦＩＤタグ付き用紙１０１に具備されたＲＦＩＤタグに対し、プリンタ部２０２に具備されたＲＦＩＤリーダライタ１０６が複写許可のフラグを不許可とする情報を書き込む。
【図面の簡単な説明】
【００２３】
【図１】本発明によるプリンタシステムの構成を示すブロック図である。
【図２】本発明によるプリンタシステムを構成するデジタル複写機の構成図である。
【図３】本発明によるプリンタシステムを構成するデジタル複写機のプリンタ部のブロック図である。
【図４】本発明によるプリンタシステムを構成するデジタル複写機のスキャナ部のブロック図である。
【図５】本発明によるプリンタシステムを構成するＲＦＩＤタグ付き用紙内のＲＦＩＤタグのブロック図である。
【図６】本発明によるプリンタシステムを構成するデジタル複写機に具備されるＲＦＩＤタグのリーダライタのブロック図である。
【図７】本発明によるプリンタシステムによるプリンタ部より出力されたＲＦＩＤタグ付き用紙に対する制御を示すフロー図である。
【図１】
2006133966.tif 000003
【図２】
2006133966.tif 000004
【図３】
2006133966.tif 000005
【図４】
2006133966.tif 000006
【図５】
2006133966.tif 000007
【図６】
2006133966.tif 000008
【図７】
2006133966.tif 000009